(57)【要約】      （修正有）【課題】複数の周波数合成器をシングルチップに集積することができない問題を解決する無線周波数受信機を提供する。【解決手段】複数のキャリアの無線周波数信号に対して帯域分割を実施して少なくとも1つの帯域信号を取得し、フィルタリングおよび増幅処理を個別に実施して少なくとも1つの処理信号を取得することと、複数の発振信号を生成し少なくとも1つの処理信号から対象キャリアを含む処理信号を選択的に受信することと、対象キャリアに対応する発振信号を受信することと、複数の周波数分割比から周波数分割比を選択的に選択し、その周波数分割比を使用して、受信された発振信号に対して周波数分割を実施して局部発振器信号を取得することと、その局部発振器信号を使用して、対象キャリアを含む受信された処理信号に対して周波数混合を実施して対象キャリアに対応するベースバンド信号を生成することとを含む。【選択図】図１２
2018170764.tif 000002
【特許請求の範囲】
【請求項１】
帯域分割器であって、前記帯域分割器の入力端がアンテナに結合され、前記帯域分割器が、前記アンテナから無線周波数信号を受信し、前記無線周波数信号に対して帯域分割を実施して少なくとも1つの帯域信号を取得し、前記信号を出力するように構成され、前記無線周波数信号が前記複数のキャリアのキャリアアグリゲートされた信号であり、各帯域信号が複数のキャリアのうちの少なくとも1つのキャリアを備える、帯域分割器と、
前記帯域分割器の出力端に結合され、前記少なくとも1つの帯域信号に対してフィルタリングおよび増幅処理を個別に実施して少なくとも1つの処理信号を取得するように構成された、処理回路と、
複数の発振信号を生成するように構成された、複数の周波数合成器と、
複数の受信チャネルであって、前記複数の受信チャネルが1対1で前記複数の周波数合成器に対応し、前記受信チャネルのうちのいずれかが、前記処理回路によって出力された前記少なくとも1つの処理信号から、前記任意の受信チャネルの対象キャリアを備える処理信号を選択的に受信し、前記任意の受信チャネルに対応する周波数合成器によって生成された発振信号を受信し、複数の周波数分割比から前記任意の受信チャネルの周波数分割比を選択的に選択し、前記周波数分割比を使用して、前記受信された発振信号に対して周波数分割を実施して前記任意の受信チャネルの局部発振器信号を取得し、前記局部発振器信号を使用して、前記対象キャリアを備える前記受信された処理信号に対して周波数混合を実施して混合信号を取得し、前記混合信号に基づいて、前記対象キャリアに対応するベースバンド信号を生成するように構成され、前記対象キャリアが前記無線周波数信号内に備えられる前記複数のキャリアのうちの1つである、受信チャネルと
を備え、
前記複数の受信チャネルが、前記複数の周波数合成器のそれぞれの周波数分割比を個別に選択することにより、前記複数の周波数合成器間の相互干渉を抑制する、
無線周波数受信機。
【請求項２】
前記複数の周波数分割比が、複数の整数周波数分割比および複数の分数周波数分割比を備えるセットから選択される、請求項1に記載の無線周波数受信機。
【請求項３】
前記処理回路が複数の処理ユニットを備え、前記複数の処理ユニットが1対1で前記帯域分割器の出力端に対応し、前記処理ユニットのうちのいずれかが、
前記帯域分割器によって出力された前記少なくとも1つの帯域信号の中の1つの帯域信号を受信し、前記帯域信号の帯域外の信号を除去して1つの帯域内の信号を取得するように構成された、帯域通過フィルタと、
前記帯域通過フィルタに結合され、前記帯域内の前記信号を受信し、前記帯域内の前記信号に対して利得増幅を実施して前記処理信号を取得するように構成された、無線周波数増幅器と
を備える、請求項1または2に記載の無線周波数受信機。
【請求項４】
前記無線周波数受信機が切替えユニットをさらに備え、前記切替えユニットが、前記複数の処理ユニットと前記複数の受信チャネルとの間に結合され、前記切替えユニットが、前記任意の受信チャネルの前記対象キャリアを備える前記処理信号を受信するために、前記任意の受信チャネルが前記処理回路内の処理ユニットに選択的に結合されるように、切替え制御を訓練するように構成される、請求項3に記載の無線周波数受信機。
【請求項５】
前記複数の受信チャネルのうちの前記任意の受信チャネルが、
制御信号を受信し、前記制御信号の制御下で、前記複数の周波数分割比から前記任意の受信チャネルの前記周波数分割比を選択的に選択し、前記周波数分割比に基づいて、前記任意の受信チャネルによって受信された前記発振信号に対して周波数分割を実施して前記局部発振器信号を取得するように構成された、構成可能周波数分割器と、
前記局部発振器信号を使用して、前記受信された処理信号に対して周波数混合を実施して前記混合信号を取得するように構成された、周波数混合器と、
前記混合信号に対して雑音抑圧を実施するように構成された、低域フィルタと、
前記対象キャリアに対応する前記ベースバンド信号を生成するために、前記低域フィルタによって雑音抑圧が実施された後に取得された混合信号を増幅するように構成された、ベースバンド増幅器と
を備える、請求項1から4のいずれか一項に記載の無線周波数受信機。
【請求項６】
前記構成可能周波数分割器が、数ある中の1つの周波数分割器を備え、前記数ある中の1つの周波数分割器が複数の周波数分割モードを備え、各周波数分割モードが、整数周波数分割比または分数周波数分割比に対応し、前記数ある中の1つの周波数分割器が、前記複数の周波数分割比からの前記任意の受信チャネルの前記周波数分割比の選択的選択を実施するために、前記制御信号の制御下で、前記複数の周波数分割モードのうちの1つの周波数分割モードを現在の動作モードとして構成するように構成される、請求項5に記載の無線周波数受信機。
【請求項７】
前記構成可能周波数分割器が、複数の周波数分割ユニットと選択器とを備え、各周波数分割ユニットが、整数周波数分割比または分数周波数分割比に対応し、前記複数の周波数分割ユニットの一端が、前記構成可能周波数分割器の入力端に個別に結合され、前記複数の周波数分割ユニットの他端が、前記選択器の入力端に個別に結合され、前記選択器の出力端が前記構成可能周波数分割器の出力端に結合され、前記選択器が、前記制御信号を受信し、前記複数の周波数分割比からの前記任意の受信チャネルの前記周波数分割比の選択的選択を実施するために、前記制御信号の制御下で、前記複数の周波数分割ユニットのうちの1つの周波数分割ユニットを選択し、前記周波数分割ユニットをオンにするように構成される、請求項5に記載の無線周波数受信機。
【請求項８】
前記無線周波数受信機が、前記任意の受信チャネル内の前記構成可能周波数分割器によって必要とされる制御信号を生成するように構成された制御信号生成器をさらに備える、請求項5から7のいずれか一項に記載の無線周波数受信機。
【請求項９】
前記無線周波数受信機が、前記複数の受信チャネルによって出力されたベースバンド信号に対してベースバンド処理を実施するように構成されたベースバンドプロセッサをさらに備える、請求項1から8のいずれか一項に記載の無線周波数受信機。
【請求項１０】
前記任意の受信チャネルがゼロ中間周波数受信チャネルである、請求項1から9のいずれか一項に記載の無線周波数受信機。
【請求項１１】
前記複数の周波数合成器および前記複数の受信チャネルが集積回路に集積される、請求項1から10のいずれか一項に記載の無線周波数受信機。
【請求項１２】
無線周波数信号に対して帯域分割を実施して少なくとも1つの帯域信号を取得し、前記信号を出力するステップであって、前記無線周波数信号が複数のキャリアのキャリアアグリゲートされた信号であり、各帯域信号が前記複数のキャリアのうちの少なくとも1つのキャリアを備える、ステップと、
前記少なくとも1つの帯域信号に対してフィルタリングおよび増幅処理を個別に実施して少なくとも1つの処理信号を取得するステップと、
複数の発振信号を生成するステップと、
前記少なくとも1つの処理信号から対象キャリアを備える処理信号を選択的に受信し、前記複数の発振信号から前記対象キャリアに対応する発振信号を受信し、複数の周波数分割比から周波数分割比を選択的に選択し、前記周波数分割比を使用して、前記受信された発振信号に対して周波数分割を実施して局部発振器信号を取得し、前記局部発振器信号を使用して、前記対象キャリアを備える前記受信された処理信号に対して周波数混合を実施して混合信号を取得し、前記混合信号に基づいて、前記対象キャリアに対応するベースバンド信号を生成するステップであって、前記対象キャリアが前記無線周波数信号内に備えられる前記複数のキャリアのうちの1つである、ステップと
を備え、
前記複数の発振信号間の相互干渉が、周波数分割比を個別に選択して、前記複数の発振信号に対して周波数分割を実施することによって抑制される、
受信方法。
【請求項１３】
前記複数の周波数分割比が、複数の整数周波数分割比および複数の分数周波数分割比を備えるセットから選択される、請求項12に記載の方法。
【請求項１４】
前記少なくとも1つの帯域信号に対してフィルタリングおよび増幅処理を個別に実施して少なくとも1つの処理信号を取得する前記ステップが、
前記少なくとも1つの帯域信号の中の1つの帯域信号を個別に受信し、前記帯域信号の帯域外の信号を除去して1つの帯域内の信号を取得し、前記帯域内の前記信号に対して利得増幅を実施して前記少なくとも1つの処理信号を取得するステップ
を備える、請求項12または13に記載の方法。
【請求項１５】
前記少なくとも1つの処理信号から、対象キャリアを備える処理信号を選択的に受信する前記ステップが、
前記少なくとも1つの処理信号からの前記対象キャリアを備える前記処理信号の選択的受信を実施するために、切替え制御を訓練するステップ
を備える、請求項14に記載の方法。
【請求項１６】
複数の周波数分割比から周波数分割比を選択的に選択し、前記周波数分割比を使用して、前記受信された発振信号に対して周波数分割を実施して局部発振器信号を取得する前記ステップが、
制御信号を受信し、前記制御信号の制御下で、前記複数の周波数分割比から前記周波数分割比を選択的に選択し、前記周波数分割比に基づいて、前記受信された発振信号に対して周波数分割を実施して前記局部発振器信号を取得するステップ
を備える、請求項12から15のいずれか一項に記載の方法。
【発明の詳細な説明】
【技術分野】
【０００１】
関連出願の相互参照
本出願は、その全体が参照により本明細書に組み込まれる、「RADIO FREQUENCY RECEIVER AND RECEIVING METHOD」と題し、2014年8月7日に出願された中国特許出願第201410387196．4号の優先権を主張する。
【０００２】
本発明は、通信の分野に関し、詳細には、無線周波数受信機および受信方法に関する。
【背景技術】
【０００３】
現在、通信帯域幅を増大させ、より高いユーザデータのスループットを実現するために、ロングタームエボリューションアドバンスト（Long−Term Evolution−Advanced、LTE−A）技術において、キャリアアグリゲーション（Carrier Aggregation、CA）技術が使用されている。CA技術の原理は、ユーザ通信データが通信用の複数のキャリア上で搬送されることである。しかしながら、CA技術の導入により、既存の無線周波数受信機ソリューションに大きい影響がもたらされている。
【０００４】
3GPP（第3世代パートナーシッププロジェクト）プロトコルR10（Release 10、リリース10）では、図1に示されたように、以下の3つのCA適用シナリオが定義される。
帯域内連続CA（intra−band、continuous CA）、
帯域内不連続CA（intra−band、non−continuous CA）、
帯域間不連続CA（inter−band、non−continuous CA）、またはいわゆる帯域間CA、ここで、
AおよびBは、2つのアグリゲートされたキャリアを表す。
【０００５】
Intra−band continuous CA適用シナリオの場合、無線周波数受信機ソリューションは、まだ、従来の方法にあるような単一の周波数合成器を使用することによって実装することができ、2つの複雑な適用シナリオであるintra−band non−continuous CAおよびinter−band non−continuous CAの場合、複数の周波数合成器を使用することは、無線周波数受信機ソリューションのためのオプションにすぎない。しかしながら、電圧制御発振器（voltage controlled oscillator、VCO）間の引っ張り合い（VCO Pulling）とVCOの擬似（Spur）結合およびクロストークとを含めて、複数の周波数合成器の間には相互干渉が存在し、これは、複数の周波数合成器のシングルチップ集積を妨げる重大な問題である。1．VCO間の引っ張り合いは、複数のVCOが同時に動作するときの通常の相互干渉現象であることに留意されたい。一例として2つのVCOが同時に動作するシナリオを使用すると、VCO1の発振エネルギーがVCO2に結合され、その結果、VCO2の出力信号は、VCO1の発振周波数の周波数成分を含み、それにより、局部発振器信号の受信チャネルとしてVCO2が使用されるときの受信品質が影響を受ける。2．VCOの擬似結合およびクロストークは、VCOによって実際に出力された周波数成分に必然的に含まれる、必要な周波数成分を除く、様々な擬似成分（不要な周波数成分）を指す。擬似成分は、多くの理由で生成される場合があり、基準クロックによって引き起こされる場合があるか、または周波数合成器の非線形性によって引き起こされる場合がある。複数の周波数合成器および複数の受信チャネルを有する適用例では、VCOのうちの1つによって出力された擬似成分が別の受信チャネルに結合され、受信チャネルによって受信される必要がある有用な信号のスペクトル上に重ね合わされ、すなわち、受信チャネルの受信帯域内に入った場合、そのチャネルの受信性能は影響を受ける。
【０００６】
実現可能な無線周波数受信機ソリューションは、複数の周波数合成器を異なるチップ上に配置することであり、それは、複数の周波数合成器の相互干渉問題を比較的効果的に解決することができる。しかしながら、マルチチップソリューションが適用されると、支払われるべき価格は面積およびコストが急激に増大する価格であり、それは、今のところ、無線周波数サブシステムの小さいサイズおよびコスト効率に対するモバイル端末のますます強い要件と衝突する。
【発明の概要】
【課題を解決するための手段】
【０００７】
本発明の実施形態は、従来技術において複数の周波数合成器をシングルチップに集積することができない問題を解決する無線周波数受信機を提供する。
【０００８】
第1の態様によれば、本発明の一実施形態は、
帯域分割器であって、帯域分割器の入力端がアンテナに結合され、帯域分割器が、アンテナから無線周波数信号を受信し、無線周波数信号に対して帯域分割を実施して少なくとも1つの帯域信号を取得し、その信号を出力するように構成され、無線周波数信号が複数のキャリアのキャリアアグリゲートされた信号であり、各帯域信号が複数のキャリアのうちの少なくとも1つのキャリアを含む、帯域分割器と、
帯域分割器の出力端に結合され、少なくとも1つの帯域信号に対してフィルタリングおよび増幅処理を個別に実施して少なくとも1つの処理信号を取得するように構成された、処理回路と、
複数の発振信号を生成するように構成された、複数の周波数合成器と、
複数の受信チャネルであって、複数の受信チャネルが1対1で複数の周波数合成器に対応し、受信チャネルのうちのいずれかが、処理回路によって出力された少なくとも1つの処理信号から、任意の受信チャネルの対象キャリアを含む処理信号を選択的に受信し、任意の受信チャネルに対応する周波数合成器によって生成された発振信号を受信し、複数の周波数分割比から任意の受信チャネルの周波数分割比を選択的に選択し、その周波数分割比を使用して、受信された発振信号に対して周波数分割を実施して任意の受信チャネルの局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成するように構成され、対象キャリアが無線周波数信号に含まれる複数のキャリアのうちの1つである、受信チャネルと
を含む、無線周波数受信機を提供し、
複数の受信チャネルは、複数の周波数合成器のそれぞれの周波数分割比を個別に選択することにより、複数の周波数合成器間の相互干渉を抑制する。
【０００９】
第1の態様の第1の可能な実装方式では、複数の周波数分割比は、複数の整数周波数分割比および複数の分数周波数分割比を含むセットから選択される。
【００１０】
第1の態様または第1の態様の第1の可能な実装方式を参照して、第2の可能な実装方式では、処理ユニットのうちのいずれかは、
帯域分割器によって出力された少なくとも1つの帯域信号の中の1つの帯域信号を受信し、帯域信号の帯域外の信号を除去して1つの帯域内の信号を取得するように構成された、帯域通過フィルタと、
帯域通過フィルタに結合され、帯域内の信号を受信し、帯域内の信号に対して利得増幅を実施して処理信号を取得するように構成された、無線周波数増幅器と
を含む。
【００１１】
第1の態様の第2の可能な実装方式を参照して、第3の可能な実装方式では、無線周波数受信機は切替えユニットをさらに含み、切替えユニットは、複数の処理ユニットと複数の受信チャネルとの間に結合され、切替えユニットは、任意の受信チャネルの対象キャリアを含む処理信号を受信するために、任意の受信チャネルが処理回路内の処理ユニットに選択的に結合されるように、切替え制御を訓練するように構成される。
【００１２】
第1の態様のいずれかの可能な実装方式を参照して、第4の可能な実装方式では、複数の受信チャネルのうちの任意の受信チャネルは、
制御信号を受信し、制御信号の制御下で、複数の周波数分割比から任意の受信チャネルの周波数分割比を選択的に選択し、その周波数分割比に基づいて、任意の受信チャネルによって受信された発振信号に対して周波数分割を実施して局部発振器信号を取得するように構成された、構成可能周波数分割器と、
局部発振器信号を使用して、受信された処理信号に対して周波数混合を実施して混合信号を取得するように構成された、周波数混合器と、
混合信号に対して雑音抑圧を実施するように構成された、低域フィルタと、
対象キャリアに対応するベースバンド信号を生成するために、低域フィルタによって雑音抑圧が実施された後に取得された混合信号を増幅するように構成された、ベースバンド増幅器と
を含む。
【００１３】
第1の態様の第4の可能な実装方式を参照して、第5の可能な実装方式では、構成可能周波数分割器は数ある中の1つの周波数分割器を含み、数ある中の1つの周波数分割器は複数の周波数分割モードを含み、各周波数分割モードは、整数周波数分割比または分数周波数分割比に対応し、数ある中の1つの周波数分割器は、制御信号の制御下で、複数の周波数分割比からの任意の受信チャネルの周波数分割比の選択的選択を実施するために、複数の周波数分割モードのうちの1つの周波数分割モードを現在の動作モードとして構成するように構成される。
【００１４】
第1の態様の第4の可能な実装方式を参照して、第6の可能な実装方式では、構成可能周波数分割器は、複数の周波数分割ユニットと選択器とを含み、各周波数分割ユニットは、整数周波数分割比または分数周波数分割比に対応し、複数の周波数分割ユニットの一端は、構成可能周波数分割器の入力端に個別に結合され、複数の周波数分割ユニットの他端は、選択器の入力端に個別に結合され、選択器の出力端は構成可能周波数分割器の出力端に結合され、選択器は、制御信号を受信し、制御信号の制御下で、複数の周波数分割比からの任意の受信チャネルの周波数分割比の選択的選択を実施するために、複数の周波数分割ユニットのうちの1つの周波数分割ユニットを選択し、その周波数分割ユニットをオンにするように構成される。
【００１５】
第1の態様の第4の可能な実装方式または第5の可能な実装方式または第6の可能な実装方式を参照して、第7の可能な実装方式では、無線周波数受信機は、任意の受信チャネル内の構成可能周波数分割器によって必要とされる制御信号を生成するように構成された、制御信号生成器をさらに含む。
【００１６】
第1の態様または第1の態様の第1から第7の可能な実装方式のうちのいずれかの実装方式を参照して、第8の可能な実装方式では、無線周波数受信機は、複数の受信チャネルによって出力されたベースバンド信号に対してベースバンド処理を実施するように構成された、ベースバンドプロセッサをさらに含む。
【００１７】
第1の態様または第1の態様の第1から第8の可能な実装方式のうちのいずれかの実装方式を参照して、第9の可能な実装方式では、任意の受信チャネルは、ゼロ中間周波数受信チャネルである。
【００１８】
第1の態様または第1の態様の第1から第9の可能な実装方式のうちのいずれかの実装方式を参照して、第10の可能な実装方式では、複数の周波数合成器および複数の受信チャネルは、集積回路内に集積される。
【００１９】
第2の態様によれば、本発明の一実施形態は、
無線周波数信号に対して帯域分割を実施して少なくとも1つの帯域信号を取得し、その信号を出力することであって、無線周波数信号が複数のキャリアのキャリアアグリゲートされた信号であり、各帯域信号が複数のキャリアのうちの少なくとも1つのキャリアを含む、出力することと、
少なくとも1つの帯域信号に対してフィルタリングおよび増幅処理を個別に実施して少なくとも1つの処理信号を取得することと、
複数の発振信号を生成することと、
少なくとも1つの処理信号から対象キャリアを含む処理信号を選択的に受信し、複数の発振信号から対象キャリアに対応する発振信号を受信し、複数の周波数分割比から周波数分割比を選択的に選択し、その周波数分割比を使用して、受信された発振信号に対して周波数分割を実施して局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成することであって、対象キャリアが無線周波数信号に含まれる複数のキャリアのうちの1つである、生成することと
を含む、受信方法を提供し、
複数の発振信号間の相互干渉は、周波数分割比を個別に選択して、複数の発振信号に対して周波数分割を実施することによって抑制される。
【００２０】
第2の態様の第1の可能な実装方式では、複数の周波数分割比は、複数の整数周波数分割比および複数の分数周波数分割比を含むセットから選択される。
【００２１】
第2の態様または第2の態様の第1の可能な実装方式を参照して、第2の可能な実装方式では、少なくとも1つの帯域信号に対してフィルタリングおよび増幅処理を個別に実施して少なくとも1つの処理信号を取得することは、
少なくとも1つの帯域信号の中の1つの帯域信号を個別に受信し、帯域信号の帯域外の信号を除去して1つの帯域内の信号を取得し、帯域内の信号に対して利得増幅を実施して少なくとも1つの処理信号を取得すること
を含む。
【００２２】
第2の態様の第2の可能な実装方式を参照して、第3の可能な実装方式では、少なくとも1つの処理信号から対象キャリアを含む処理信号を選択的に受信することは、
少なくとも1つの処理信号からの対象キャリアを含む処理信号の選択的受信を実施するために、切替え制御を訓練すること
を含む。
【００２３】
第3の態様または第1から第3の可能な実装方式のうちのいずれかの可能な実装方式を参照して、第4の可能な実装方式では、複数の周波数分割比から周波数分割比を選択的に選択し、その周波数分割比を使用して、受信された発振信号に対して周波数分割を実施して局部発振器信号を取得することは、
制御信号を受信し、制御信号の制御下で、複数の周波数分割比から周波数分割比を選択的に選択し、その周波数分割比に基づいて、受信された発振信号に対して周波数分割を実施して局部発振器信号を取得すること
を含む。本発明では、各受信チャネルの周波数分割比を選択的に選択することにより、受信チャネルに対応する複数の周波数合成器間の相互干渉は効果的に抑制することができ、その結果、本発明において提供される無線周波数受信機は、シングルチップ集積を実装することができる。
【００２４】
本発明の実施形態または従来技術における技術的解決策をより明確に記載するために、以下で、実施形態または従来技術を記載するために必要な添付図面を簡単に紹介する。明らかに、以下の説明における添付図面は本発明のいくつかの実施形態を示すにすぎず、当業者は、創造的な努力なしに、これらの添付図面から他の図面をさらに導出することができる。
【図面の簡単な説明】
【００２５】
【図１】キャリアアグリゲーションの典型的な適用シナリオの概略図である。
【図２】従来技術におけるゼロ中間周波数受信機のアーキテクチャ図である。
【図３】本発明の実施形態1による、無線周波数受信機のアーキテクチャ図である。
【図４】本発明の実施形態1による、無線周波数受信機の回路図である。
【図５】本発明の実施形態1による、別の無線周波数受信機の回路図である。
【図６Ａ】本発明の実施形態1による、構成可能周波数分割器の回路図である。
【図６Ｂ】本発明の実施形態1による、別の構成可能周波数分割器の回路図である。
【図７】本発明の実施形態1による、さらに別の無線周波数受信機の回路図である。
【図８Ａ】帯域間不連続CA信号を受信する、図5に示された無線周波数受信機の概略図である。
【図８Ｂ】従来の無線周波数受信機内の2つのVCO間に引っ張り合いが存在することを示す概略図である。
【図９Ａ】帯域内不連続CA信号を受信する、図5に示された無線周波数受信機の概略図である。
【図９Ｂ】従来の無線周波数受信機内の2つのVCO間に擬似結合およびクロストークが存在することを示す概略図である。
【図１０】帯域間不連続CA信号を受信する、図7に示された無線周波数受信機の概略図である。
【図１１】別の帯域間不連続CA信号を受信する、図7に示された無線周波数受信機の概略図である。
【図１２】本発明の実施形態2による、受信方法のフローチャートである。
【発明を実施するための形態】
【００２６】
本発明の技術的解決策のより良い理解を容易にするために、最初に既存のゼロ中間周波数受信機が以下で簡単に記載される。図2は、既存のゼロ中間周波数（zero intermediate frequency、ZIF）受信機のアーキテクチャ図を示す。増幅された後、ゼロ中間周波数受信機によって受信された無線周波数信号は、互いに直交する2つの局部発信器信号と混合されて、2つのベースバンド信号であるI（In−phase、同相）信号およびQ（Quadrature、直交）信号を個別に生成する。局部発信器信号の周波数は無線周波数信号の周波数と同じなので、ベースバンド信号は混合後直ちに生成されるが、チャネル選択および利得調整は、ベースバンドに対して実施され、チップ上の低域フィルタおよびベースバンド増幅器によって完了される。ゼロ中間周波数受信機の最も魅力的なことは、中間周波数が下方変換プロセスに関わる必要がなく、画像周波数は無線周波数信号自体であり、画像周波数干渉が存在しないことである。スーパーヘテロダイン受像機と比較して、ゼロ中間周波数受信機は、スーパーヘテロダイン受像機アーキテクチャにおいて使用される画像抑圧フィルタおよび中間周波数フィルタを除外することができる。このようにして、一方で外部成分が抹消され、それはシステムのシングルチップ集積につながり、コストを低減し、他方でシステムによって必要とされる回路モジュールおよび外部ノードが低減され、それは受信機によって必要とされる電力消費を低減し、外部干渉に対する無線周波数信号の脆弱性を低減する。
【００２７】
以下で、本発明の実施形態における添付図面を参照して、本発明の実施形態における技術的解決策を明確に記載する。明らかに、記載される実施形態は、本発明の実施形態のすべてではなく、一部にすぎない。創造的な努力なしに本発明の実施形態に基づいて、当業者によって取得されるすべての他の実施形態は、本発明の保護範囲内に入るべきである。
【００２８】
実施形態1
図3に示されたように、本発明の実施形態1は、アンテナ100と、帯域分割器200と、処理回路300と、複数の周波数合成器400と、複数の受信チャネル500とを含む、無線周波数受信機を提供する。
【００２９】
アンテナ100は、無線周波数信号、たとえば、ワイヤレスネットワーク内で基地局によって送信された無線周波数信号を受信するように構成され、無線周波数信号は、複数のキャリアのキャリアアグリゲートされた信号である。実際の適用例では、複数のキャリアのキャリアアグリゲーションの方式は、帯域内連続キャリアアグリゲーション、帯域内不連続キャリアアグリゲーション、および帯域間不連続キャリアアグリゲーションのうちの少なくとも1つを含むことを、当業者なら理解されよう。詳細には、図1に示されたいくつかの典型的なマルチキャリアアグリゲーション方式に対して参照を行うことができる。本発明の本実施形態における無線周波数受信機がチップに集積されるとき、アンテナ100は一般にチップ内に含まれないことを、当業者なら理解されよう。
【００３０】
帯域分割器200の入力端がアンテナ100に結合され、帯域分割器200は、アンテナ100によって出力された無線周波数信号を受信し、無線周波数信号に対して帯域分割を実施して少なくとも1つの帯域信号を取得し、その信号を出力するように構成され、各帯域信号は複数のキャリアのうちの少なくとも1つのキャリアを含む。本実施形態における帯域分割器200は、ダイプレクサ（Diplexer、またはいわゆる送受信カプラ）、トリプレクサ（Triplexer）、クアドルプレクサなどを含む場合があることを留意されたい。具体的には、どの成分が使用されるべきかは、複数のキャリアのCA信号に含まれる帯域の個数に依存する。たとえば、複数のキャリアのCA信号が3つの帯域信号を含むとき、3つの帯域信号を分割するためにトリプレクサが使用される必要があり、複数のキャリアのCA信号が2つの帯域信号を含むとき、2つの帯域信号を分割するためにDiplexerが十分である。加えて、本発明の本実施形態において言及された結合が、すでに当技術分野で一般的に解釈されており、限定ではないが、電気的な意味で直接接続または関節接続を含むことを、当業者なら理解されよう。同じことが以下に当てはまり、詳細は再び記載されない。
【００３１】
本実施形態では、帯域分割器200は、複数のキャリアのキャリアアグリゲーションの方式に従って、無線周波数信号に対して帯域分割を実施することができる。具体的には、アンテナ100によって受信された無線周波数信号が複数のキャリアの帯域間CA信号である場合、帯域分割器200は、帯域が高いか低いかに従って、帯域間CA信号を複数の帯域信号に分割することができる。たとえば、図8Aを参照すると、Band 8内の（そのキャリア周波数が935MHzである）キャリアAとBand 3内の（そのキャリア周波数が1870．1MHzである）キャリアBをアグリゲートしている無線周波数信号の場合、帯域分割器200はそれに対応してDiplexerを使用することができる。Diplexerは、高帯域（すなわち、キャリアBを含むBand 3）の信号と、低帯域（すなわち、キャリアAを含むBand 8）の信号に、無線周波数信号を分割することができる。アンテナ100によって受信された無線周波数信号が帯域内不連続CA信号または帯域内連続CA信号である場合、帯域分割器200は、帯域内不連続CAまたは帯域内連続CAの複数のキャリアを1つの帯域信号にグループ化することができる。たとえば、図9Aを参照すると、Band 25は、2つの不連続キャリアAおよびBを含む。Diplexerの精度は限定されているので、Band 25にアグリゲートされているキャリアは分割することができない。出力の間、Diplexerは、高帯域出力または低帯域出力のいずれかを選択し、キャリアAおよびキャリアBを含む帯域信号（すなわち、Band 25）を出力する。本明細書で言及されたBand 3、Band 8、およびBand 25などの帯域信号の帯域範囲について、3GPPプロトコル内の対応する規定に対して参照を行うことができ、詳細は再び記載されないことに留意されたい。
【００３２】
処理回路300は、帯域分割器200の出力端に結合され、少なくとも1つの処理信号を取得するために、帯域分割器200によって出力された少なくとも1つの帯域信号に対してフィルタリングおよび増幅処理を個別に実施するように構成される。
【００３３】
複数の周波数合成器400は、複数の発振信号を生成するように構成され、複数の発振信号の周波数は互いに異なる。
【００３４】
複数の受信チャネル500は、1対1で複数の周波数合成器400に対応し、受信チャネルのうちのいずれかは、処理回路300によって出力された少なくとも1つの処理信号から、任意の受信チャネルの対象キャリアを含む処理信号を選択的に受信し、複数の周波数合成器400によって生成された複数の発振信号から、任意の受信チャネルに対応する周波数合成器によって生成された発振信号を受信し、複数の周波数分割比から任意の受信チャネルの周波数分割比を選択的に選択し、その周波数分割比を使用して、受信された発振信号に対して周波数分割を実施して任意の受信チャネルの局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成するように構成され、対象キャリアは無線周波数信号に含まれる複数のキャリアのうちの1つであり、
複数の受信チャネル500は、複数の周波数合成器400のそれぞれの周波数分割比を個別に選択することにより、複数の周波数合成器400間の相互干渉を抑制する。
【００３５】
複数の周波数合成器間の相互干渉は、主に、1．引っ張り合いと、2．擬似結合およびクロストークとを含むことに留意されたい。本実施形態では、任意の受信チャネルは任意の受信チャネルの周波数分割比を選択し、したがって、任意の受信チャネルに対応する周波数合成器によって生成された発振信号と、任意の受信チャネルに対応する発振信号を除く複数の発振信号の中の別の発振信号との間の引っ張り効果は弱められ、すなわち、任意の受信チャネルに対応する周波数合成器を除く別の周波数合成器によって引き起こされる、任意の受信チャネルに対する引っ張り効果は抑制され、任意の受信チャネルの対象キャリアと、任意の受信チャネルが別の発振信号の擬似成分に対して周波数分割を実施した後に取得された信号との間の重ね合わせは発生せず、すなわち、任意の受信チャネルに対応する周波数合成器を除く別の周波数合成器によって生成された発振信号の擬似成分が任意の受信チャネルに結合されたときに引き起こされる結合およびクロストークは抑制される。
【００３６】
したがって、複数の周波数分割器間の相互干渉は、本実施形態における技術的解決策を使用することによって効果的に抑制されることが分かる。本発明の技術的効果をより良く記載するために、以下で、例を使用して、図8Aおよび図9Aを参照して説明を与える。図8Aに示されたように、Band 8内のキャリアAおよびBand 3内のキャリアBは、帯域間方式でアグリゲートされており、キャリアAのキャリア周波数はFA=1870．1MHzであり、キャリアAのキャリア周波数はFB=935MHzであり、2つの受信チャネル501Aおよび501Bのそれぞれの局部発振器信号の周波数は、それぞれ、LOA=1870．1MHzおよびLOB=935MHzである。従来のソリューションでは、図8Bに示されたように、2つの局部発振器信号を取得するために、整数周波数分割が一般に使用される。たとえば、LOAを取得するために発振信号（発振周波数FvcoA=3740．2MHz）に対して2による周波数分割が実施され、LOBを取得するために発振信号（発振周波数FvcoB=3740MHz）に対して4による周波数分割が実施される。FvcoAとFvcoBは近い周波数なので、2つの対応する周波数合成器間の分離が限定される場合、引っ張り合いが発生し、受信機の性能は大幅に影響を受ける。したがって、本発明の本実施形態では、受信チャネル501Aの周波数分割比は2に設定され、受信チャネル501Bの周波数分割比は3．5に設定され、その結果、受信チャネル501Aは、LOAを取得するために発振信号（発振周波数FvcoA=3740．2MHz）に対して2による周波数分割を実施することができ、受信チャネル501Bは、LOBを取得するために発振信号（発振周波数FvcoB=3272．5MHz）に対して3．5による周波数分割を実施することができ、その結果、FvcoAはFvcoBから離れる。周波数合成器間の引っ張り合いは、発振信号の発振周波数間の差周波数および周波数合成器間の分離に依存する。差周波数が増大するにつれて、分離は良くなり、引っ張り合い効果は弱くなる。したがって、複数の受信チャネル500に対応する複数の周波数合成器400間の引っ張り合い効果は、基本的に、複数の受信チャネル500のそれぞれの周波数分割比を柔軟に選択することによって消滅する。図9Aに示されたように、受信された無線周波数信号がBand 25内のキャリアAおよびキャリアBの不連続CAであるとき、キャリアAのキャリア周波数はFA=1966．2MHzであり、キャリアBのキャリア周波数はFB=1969．2MHzであり、したがって、2つの受信チャネル501Aおよび501Bのそれぞれの局部発振器周波数は、それぞれ、LOA=1966．2MHzおよびLOB=1969．2MHzである。従来のソリューションでは、図9Bに示されたように、2つの局部発振器信号を取得するために、整数周波数分割が一般に使用される。たとえば、LOAを取得するために発振信号（発振周波数FvcoA=3932．4MHz）に対して2による周波数分割が実施され、LOBを取得するために発振信号（発振周波数FvcoB=3938．4MHz）に対して2による周波数分割が実施される。LOBに対応する周波数合成器が19．2MHzの基準クロックを使用すると仮定すると、その周波数がFspus=1966．8MHzである擬似成分（境界スパー）がLOB内に存在する場合がある。出力用のFspus−LOA=0．6MHzの低周波数成分を取得するために、擬似成分が受信チャネル501Aに結合され、LOAと混合される場合、キャリアA用に構成された周波数が3MHzであると仮定すると、0．6MHzの低周波数成分は受信チャネル501Aによって受信されるべき信号の周波数と重なり、それはキ��リアAの受信性能に大いに影響を及ぼす。本実施形態では、受信チャネル501Aの周波数分割比を2に設定し、受信チャネル501Bの周波数分割比を2．5に設定することにより、受信チャネル501Aは、LOAを取得するために発振信号（発振周波数FvcoA=3932．4MHz）に対して2による周波数分割を実施することができ、受信チャネル501Bは、LOBを取得するために発振信号（発振周波数FvcoB=4923MHz）に対して2．5による周波数分割を実施することができる。このようにして、FvcoAはFvcoBから離れ、その結果、受信チャネル501Aの受信性能に影響を与える可能性がある擬似成分は、受信チャネル501Bによる周波数分割後に取得されたLOB内にもはや存在しない。したがって、複数の受信チャネル500に対応する複数の周波数合成器400間の擬似結合およびクロストークは、複数の受信チャネル500のそれぞれの周波数分割比を柔軟に選択することによって抑制することができる。
【００３７】
本実施形態では、任意の受信チャネルの周波数分割比に関しては、任意の受信チャネルの周波数分割比がそれらから選択される複数の周波数分割比は、複数の整数周波数分割比および複数の分数周波数分割比を含むセットから選択することができる。言い換えれば、複数の周波数分割比は、複数の整数周波数分割比および複数の分数周波数分割比のうちの少なくとも2つの周波数分割比を含む場合がある。すなわち、複数の周波数分割比は、複数の整数周波数分割比のセットであり得るか、または複数の分数周波数分割比のセットであり得るか、または分数周波数分割比と整数周波数分割比のセットであり得る。本実施形態では、分数周波数分割比および／または整数周波数分割比を含む複数の周波数分割比が提供されるので、各受信チャネルが受信チャネルに対応する周波数合成器間の相互干渉を抑制するように、それ自体の周波数分割比を選択することは非常に柔軟である。
【００３８】
以下で、図4に示された特定の無線周波数受信機アーキテクチャを参照して、本発明の実施形態における技術的解決策をさらに記載する。簡潔にするために、図4は、2つの受信チャネルおよび2つの周波数合成器を含む受信機のアーキテクチャを例示的に示すにすぎないことに留意されたい。実際の適用例では、受信チャネルは図4に基づいて拡張される場合がある。したがって、図4の中の内容は、本発明の保護範囲を限定するものと解釈されるべきではない。図4に示されたように、処理回路300は、複数の処理ユニット301を含む場合がある。複数の処理ユニット301の個数は、帯域分割器200の出力端の個数に等しい場合がある。複数の処理ユニット301は、帯域分割器200の出力端に個別に結合される。各処理ユニット301は、帯域分割器200によって出力された少なくとも1つの帯域信号内の1つの帯域信号に対してフィルタリングおよび増幅処理を実施して、1つの処理信号を取得するように構成される。例として図8Aに示された受信機をまだ使用すると、キャリアアグリゲートされた信号がBand 8内のキャリアAおよびBand 3内のキャリアB の帯域間アグリゲーションであるとき、帯域分割器200はDiplexerであり得る。それに対応して、Diplexerは、2つの出力端である第1の出力端および第2の出力端を有する。第1の出力端は高帯域の帯域信号、すなわち、キャリアBが位置する帯域信号（Band 3）を出力するように構成される。第2の出力端は低帯域の帯域信号、すなわち、キャリアAが位置する帯域信号（Band 8）を出力するように構成される。それに対応して、プロセッサ300も2つの処理ユニットを含む。処理ユニットのうちの1つは、第1の出力端に結合され、高帯域（Band 3）の信号に対してフィルタリングおよび増幅処理を実施するように構成され、他の処理ユニットは、第2の出力端に結合され、低帯域（Band 8）の信号に対してフィルタリングおよび増幅処理を実施するように構成される。特殊な状況では、すなわち、無線周波数信号が第1のキャリアおよび第2のキャリアのみを含み、第1のキャリアおよび第2のキャリアが帯域内連続CAまたは帯域内不連続CAであるとき、帯域分割器200はただ1つの帯域信号を出力するので、帯域分割器200がDiplexerであると仮定すると、帯域信号は第1の出力端または第2の出力端によって出力される場合があることに留意されたい。第1の出力端が帯域信号を出力する場合、複数の処理ユニット内で、Diplexerの第1の出力端に結合された処理ユニットだけが帯域信号を処理して、第1のキャリアおよび第2のキャリアを含む処理信号を取得する。
【００３９】
本実施形態では、複数の処理ユニット301の中の任意の処理ユニット301は、帯域通過フィルタ3011と、無線周波数増幅器3012とを含む場合がある。帯域通過フィルタ3011の入力端は帯域分割器200の出力端に結合され、帯域通過フィルタ3011の出力端は無線周波数増幅器3012の入力端に結合される。帯域通過フィルタ3011は、帯域分割器200によって出力された少なくとも1つの帯域信号の中の1つの帯域信号を受信し、帯域信号の帯域外の信号を除去して1つの帯域内の信号を取得するように構成される。無線周波数増幅器3012は、1つの帯域内の、帯域通過フィルタ3011によるフィルタリング後に取得された信号を受信し、帯域内の信号に対して利得増幅を実施して処理信号を取得するように構成される。様々な帯域内の信号を処理するために、各処理ユニット内の帯域通過フィルタを通過することを許可された周波数の範囲が異なることを除き、複数の処理ユニットの構造は同じであり得ることを理解されたい。加えて、様々な無線受信機内の無線周波数前置増幅器が弱い信号を増幅するとき、無線周波数増幅器の雑音によって引き起こされる信号に対する干渉はひどい場合がある。そのような雑音を低減し、出力信号対雑音比を改善するために、無線周波数信号に対して帯域通過フィルタリングおよび利得増幅を実施するために低雑音増幅器が一般に選択される。従来技術に対して参照を行うことができ、本明細書では詳細は再び記載されない。
【００４０】
本実施形態では、図4に示されたように、無線周波数受信機は、切替えユニット600をさらに含む場合がある。切替えユニット600は、複数の処理ユニット301と複数の受信チャネル500との間に結合される。切替えユニット600は切替え制御を訓練するように構成され、その結果、任意の受信チャネルは、任意の受信チャネルの対象キャリアを含む処理信号を受信するために、処理回路300内の処理ユニットに選択的に結合される。具体的には図5を参照されたい。図5に示された無線周波数受信機では、複数の受信チャネル500は、（説明しやすいように、それぞれ501Aおよび501Bによって表記される）2つの受信チャネルを含み、処理回路300は、（説明しやすいように、それぞれ301Aおよび301Bによって表記される）2つの処理ユニットを含み、したがって、切替えユニット600は、具体的に、第1のスイッチ601と、第2のスイッチ602と、第3のスイッチ603とを含む場合がある。第1のスイッチ601の一端は処理ユニット301Aの出力端に結合され、第1のスイッチ601の他端は、受信チャネル501Aの無線周波数入力端、および第2のスイッチ602の一端に個別に結合される。第3のスイッチ603の一端は処理ユニット301Bの出力端に結合され、第3のスイッチ603の他端は、受信チャネル501Bの無線周波数入力端、および第2のスイッチ602の他端に結合される。3つのスイッチのターンオンを制御することにより、切替えユニット600は、様々なタイプのCA信号の受信を実施することができる。たとえば、無線周波数信号がBand 3内のキャリアBおよびBand 8内のキャリアAの帯域間CAであるとき、図8Aを参照すると、切替えユニットは、第1のスイッチ601および第3のスイッチ603が同時にオンになるように制御し、第2のスイッチ602がオフになるように制御することができ、その結果、帯域信号Band 3は、301A−＞601−＞501Aのリンクに沿って受信チャネル501Aに送信され、帯域信号Band 8は、301B−＞603−＞501Bのリンクに沿って受信チャネル501Bに送信される。受信チャネル501Aの対象キャリアはキャリアBであり、受信チャネル501Bの対象キャリアはキャリアAである。無線周波数信号が帯域信号Band 25内の2つのキャリアAおよびBの不連続CAであるとき、図9Aを参照すると、帯域分割器200は1つの帯域内の複数のキャリアを分割することができないので、帯域分割器200は、ただ1つの出力端を選択して帯域信号を出力することができる。処理ユニット301Aが帯域分割器200によって出力されたBand 25に対してフィルタリングおよび増幅処理を実施すると仮定すると、切替えユニットは、第1のスイッチ601および第2のスイッチ602が同時にオンになるように制御し、第3のスイッチ603がオフになるように制御し、その結果、帯域信号Band 25は、301A−＞601−＞501Aのリンクに沿って受信チャネル501Aに送信され、同時に、301A−＞601−＞602−＞501Bのリンクに沿って受信チャネル501Bに送信される。受信チャネル501Aの対象キャリアはキャリアAであり、受信チャネル501Bの対象キャリアはキャリアBである。簡潔にするために、図8A、図8B、図9A、および図9Bにおいて、構成要素の参照番号が省略されていることに留意されたい。詳細には、図5における参照番号に対して参照を行うことができる。
【００４１】
さらに、図5に基づいて、図7を参照すると、無線周波数受信機が3つの処理ユニット（301A、301B、301C）と3つの受信チャネル（501A、501B、501C）とを含むとき、切替えユニット600は、第4のスイッチ604と第5のスイッチ605とをさらに含む場合がある。5つのスイッチのターンオンを制御することにより、より多くのタイプのCA信号を受信することができる。たとえば、無線周波数信号が、3つのキャリアであるBand 3内のキャリアA、Band 4内のキャリアB、およびBand 5内のキャリアCの帯域間CAであるとき、図10を参照すると、切替えユニットは、第1のスイッチ601、第3のスイッチ603、および第5のスイッチ605が同時にオンになるように制御し、第2のスイッチ602および第4のスイッチ604がオフになるように制御し、その結果、Band 5は、301A−＞601−＞501Aに沿って受信チャネル501Aに送信され、Band 4は、301B−＞603−＞501Bに沿って受信チャネル501Bに送信され、Band 3は、301C−＞605−＞501Cに沿って受信チャネル501Cに送信される。受信チャネル501Aの対象キャリアはキャリアCであり、受信チャネル501Bの対象キャリアはキャリアBであり、受信チャネル501Cの対象キャリアはキャリアAである。無線周波数信号が、Band 3内のキャリアAおよびBの不連続CAであり、次いで、帯域間CA方式でBand 5内のキャリアCとアグリゲートされるとき、図11を参照すると、処理ユニット301BがキャリアAおよびBを含むBand 3を処理すると仮定して、切替えユニット600は、第1のスイッチ601、第3のスイッチ603、および第4のスイッチ604が同時にオンになるように制御し、第2のスイッチ602および第5のスイッチ605がオフになるように制御することができ、その結果、Band 5は、301A−＞601−＞501Aに沿って受信チャネル501Aに送信され得るし、Band 3は、301B−＞603−＞501Bに沿って受信チャネル501Bに送信され、301B−＞603−＞604−＞501Cに沿って受信チャネル501Cに送信され得る。受信チャネル501Aの対象キャリアはキャリアCであり、受信チャネル501Bの対象キャリアはキャリア
Bであり、受信チャネル501Cの対象キャリアはキャリアAである。簡潔にするために、図10および図11において、構成要素の参照番号が省略されていることに留意されたい。詳細には、図7における参照番号に対して参照を行うことができる。
【００４２】
結論として、本実施形態では、切替えユニット600は切替え制御を訓練することができ、その結果、複数の受信チャネル500のうちの任意の受信チャネルは、処理回路300によって処理された少なくとも1つの処理信号から、任意の受信チャネルの対象キャリアを含む処理信号を選択的に受信し、したがって、本実施形態における無線周波数受信機は、帯域内連続CA、帯域内不連続CA、および帯域間CAなどの複数の適用シナリオに広く適用することができ、互換性が高い。本発明の本実施形態では、切替えユニット600の動作原理を記載するために、複数のスイッチの組合せが使用されることに留意されたい。実際の適用例では、当業者は、切替え制御機能を有する他の回路またはチップを使用して、対応する機能を実装することができる。
【００４３】
本実施形態では、図4に示されたように、複数の受信チャネル500のうちの任意の受信チャネルは、具体的に、
制御信号（control、CTRL）を受信し、制御信号の制御下で、複数の周波数分割比から任意の受信チャネルの周波数分割比を選択的に選択し、その周波数分割比に基づいて、任意の受信チャネルによって受信された発振信号に対して周波数分割を実施して局部発振器信号を取得するように構成された、構成可能周波数分割器5011と、
局部発振器信号を使用して、受信された処理信号に対して周波数混合を実施して混合信号を取得するように構成された、周波数混合器5012と、
混合信号に対して雑音抑圧を実施するように構成された、低域フィルタ5013と、
対象キャリアに対応するベースバンド信号を生成するために、低域フィルタによって雑音抑圧が実施された後に取得された混合信号を増幅するように構成された、ベースバンド増幅器5014と
を含む場合がある。
【００４４】
またさらに、図6Aに示されたように、可能な実装方式では、構成可能周波数分割器5011は、具体的に、数ある中の1つの周波数分割器50111を含む場合がある。数ある中の1つの周波数分割器50111は、複数の周波数分割モードを含む。各周波数分割モードは、整数周波数分割比または分数周波数分割比に対応する。たとえば、1による周波数分割、0．75による周波数分割、1．25による周波数分割、1．5による周波数分割、1．75による周波数分割、および2による周波数分割などの、複数の周波数分割モードが含まれる場合がある。数ある中の1つの周波数分割器は、制御信号CTRLを受信し、制御信号の制御下で、複数の周波数分割比からの任意の受信チャネルの周波数分割比の選択的選択を実施するために、複数の周波数分割モードのうちの1つの周波数分割モードを現在の動作モードとして構成するように構成される。
【００４５】
図6Bに示されたように、別の可能な実装方式では、構成可能周波数分割器5011は、複数の周波数分割ユニット50121Aと選択器50121Bとを含む場合もある。各周波数分割ユニットは、整数周波数分割比または分数周波数分割比に対応する。複数の周波数分割ユニット50121Aの一端は、構成可能周波数分割器5011の入力端に個別に結合され、複数の周波数分割ユニット50121Aの他端は、選択器50121Bの入力端に個別に結合され、選択器50121Bの出力端は、構成可能周波数分割器5011の出力端に結合される。選択器50121Bは、制御信号CTRLを受信し、制御信号の制御下で、複数の周波数分割比からの任意の受信チャネルの周波数分割比の選択的選択を実施するために、複数の周波数分割ユニットのうちの1つの周波数分割ユニットを選択し、その周波数分割ユニットをオンにするように構成される。各周波数分割ユニットは、周波数分割能力を有する周波数分割構成要素または周波数分割回路であり得る。たとえば、周波数分割ユニットは、1による周波数分割、2による周波数分割などのための整数周波数分割器であり得るか、0．75による周波数分割、1．25による周波数分割、1．5による周波数分割、1．75による周波数分割などのための分数周波数分割器であり得るし、それは本実施形態において限定されない。本発明の本実施形態における構成可能周波数分割器5011は、複数の周波数分割比を有する他の周波数分割構成要素でもあり得るか、または、複数の通常の周波数分割構成要素の組合せであり、複数の周波数分割比を有する回路もしくはチップなどであり得ることを理解されたい。したがって、図6Aおよび図6Bに示された特定の回路構造は、本発明の保護範囲を限定するものと解釈されるべきではない。
【００４６】
本実施形態では、さらに、図4に示されたように、無線周波数受信機は、複数の受信チャネルそれぞれの周波数分割比を選択して複数の周波数合成器間の相互干渉を抑制するように複数の受信チャネルを制御するために、任意の受信チャネル内の構成可能周波数分割器によって必要とされる制御信号を生成するように構成された、制御信号生成器700をさらに含む場合がある。
【００４７】
ゼロ中間周波数受信機は、下方変換プロセスに中間周波数を関わらせず、画像周波数は無線周波数信号自体であり、画像周波数干渉は存在しない。したがって、他のタイプの受信機と比較して、ゼロ中間周波数受信機は、画像抑圧フィルタおよび中間周波数フィルタなどの構成要素を除外することができ、コスト効率およびシングルチップ集積において明確な利点を有する。したがって、本実施形態では、複数の受信チャネル500のうちの任意の受信チャネルは、ゼロ中間周波数受信チャネルであり得る。以下で、図5を参照して、ゼロ中間周波数受信チャネルを簡単に記載する。図5に示されたように、任意の受信チャネルがゼロ中間周波数受信チャネルであるとき、周波数混合器5012は、2つの同相直交I/Q周波数混合器である同相周波数混合器5012Aと直交周波数混合器5012Bとを含む場合があり、それらは、任意の受信チャネルの対象キャリアを含む処理信号を受信し、位相差が90°である2つの局部発振器信号（LOIおよびLOQ）を使用して、受信された処理信号に対して周波数混合を実施して2つの混合信号を取得するように個別に構成される。低域フィルタ5013は、同相低域フィルタ5013Aと直交低域フィルタ5013Bとを含む場合があり、それらは、それぞれ、同相周波数混合器5012Aおよび直交周波数混合器5012Bによる混合を介して取得された混合信号に対して雑音抑圧を実施するように構成される。ベースバンド増幅器5014は、同相ベースバンド増幅器5014Aと直交ベースバンド増幅器5014Bとを含む場合があり、それらは、それぞれ、対象キャリアに対応する2つのI/Qベースバンド信号を生成するために、同相低域フィルタ5013Aおよび直交低域フィルタ5013Bによって雑音抑圧が実施された後に取得された混合信号を増幅するように構成される。当業者はゼロ中間周波数受信機のアーキテクチャに良く精通しており、それは本明細書では再び詳述されないことを理解されたい。詳細には、従来技術に対して参照を行うことができる。
【００４８】
さらに、任意の受信チャネルがゼロ中間周波数受信チャネルであるとき、図6Aおよび図6Bに示されたように、構成可能周波数分割器は、多相フィルタ（Poly−Phase Filter、PPF）50112をさらに含む場合がある。多相フィルタ50112は、構成可能周波数分割器5011の入力端と数ある中の1つの周波数分割器50111の入力端との間に結合されるか、または構成可能周波数分割器5011の入力端と複数の周波数分割ユニット50121Aの入力端との間に結合され、特定の位相差を有する複数の発振信号を生成するために、任意の受信チャネルに対応する周波数合成器401から構成可能周波数分割器5011に入力された発振信号に対して多相フィルタリングを実施するように構成され、その結果、数ある中の1つの周波数分割器50111または複数の周波数分割ユニット50121Aは、多相フィルタリングを介して取得された発振信号に対して周波数分割を実施して、90°の位相差を有する局部発振器信号LOIおよびLOQを生成する。具体的には、多相フィルタ50112は、様々なクロックエッジを使用して、周波数分割された信号の位相を遅延させて特定の位相差を発生させることができる。クロックエッジを使用して位相遅延を実装するメカニズムは、当業者によって良く知られている常識であり、本明細書では再び詳述されず、従来技術に対して参照を行うことができる。
【００４９】
さらに、図6Aおよび図6Bに示されたように、構成可能周波数分割器5011は、第6のスイッチ50113と、第7のスイッチ50114と、第1の整数周波数分割器50115と、第2の整数周波数分割器50116とをさらに含む場合がある。第6のスイッチ50113および第7のスイッチ50114の制御をオンにすることによって、第1の整数周波数分割器50115および第2の整数周波数分割器50116は、数ある中の1つの周波数分割器50111または選択器50121Bによって出力された信号に対してさらなる周波数分割を実施するために使用することができる。たとえば、第1の整数周波数分割器50115と第2の整数周波数分割器50116の両方が2で割る周波数分割器であると仮定すると、第6のスイッチ50113がオンになるように制御され、第7のスイッチ50114が同時にオフになるように制御される場合、数ある中の1つの周波数分割器50111または選択器50121Bによって出力された信号の周波数は、2によって分割することができ、第6のスイッチ50113がオフになるように制御され、第7のスイッチ50114が同時にオンになるように制御される場合、数ある中の1つの周波数分割器50111または選択器50121Bによって出力された信号の周波数は、4によって分割することができ、それにより、周波数分割比を構成する際の構成可能周波数分割器5011の柔軟性が改善され、周波数分割された信号の幅を拡張することにつながる。
【００５０】
本実施形態では、さらに、図4に示されたように、無線周波数受信機は、複数の受信チャネル500によって出力されたベースバンド信号に対してベースバンド処理を実施し、受信チャネルがゼロ中間周波数受信チャネルであるとき、具体的に、2つのI/Qベースバンド信号に対してベースバンド処理を実施するように構成された、ベースバンドプロセッサ800をさらに含む場合がある。ベースバンドプロセッサの動作原理については、従来技術に対して参照を行うことができ、本明細書では詳細は再び記載されない。
【００５１】
本実施形態では、無線周波数受信機は、シングルチップ集積無線周波数受信機である。すなわち、複数の周波数合成器400および複数の受信チャネル500は、集積回路に集積される。確かに、処理回路300、切替えユニット600、および制御信号生成器700は、たとえば、無線周波数チップに集積される場合がある。複数の周波数合成器を含むシングルチップ集積無線周波数受信機の場合、本発明の本実施形態における技術的解決策は、複数の周波数合成器の相互近接によって引き起こされる相互干渉を効果的に抑制するために使用することができる。マルチキャリアCA信号を受信するための従来のマルチチップソリューションと比較して、本発明において提供されるシングルチップ集積無線周波数受信機は、チップの面積を低減し、コストを削減することができる。例としてインテリジェント端末を使用すると、ベースバンドプロセッサ800は、一般に、無線周波数チップから独立したメインチップに集積されることに留意されたい。本発明の本実施形態では、アンテナ100およびベースバンドプロセッサ800は、無線周波数信号の受信からベースバンド信号処理の完了までの完全なプロセスを明確に記載するために紹介されている。
【００５２】
実施形態2
実施形態1における無線周波数受信機に基づいて、図12に示されたように、本発明の本実施形態は、以下のステップを含む、マルチキャリアアグリゲートされた無線周波数信号を受信するための方法をさらに提供する。
【００５３】
S1．無線周波数信号を受信し、無線周波数信号は複数のキャリアのキャリアアグリゲートされた信号である。
【００５４】
S2．無線周波数信号に対して帯域分割を実施して少なくとも1つの帯域信号を取得し、その信号を出力し、各帯域信号は複数のキャリアのうちの少なくとも1つのキャリアを含む。
【００５５】
S3．少なくとも1つの帯域信号に対してフィルタリングおよび増幅処理を個別に実施して少なくとも1つの処理信号を取得する。
【００５６】
S4．複数の発振信号を生成する。
【００５７】
S5．少なくとも1つの処理信号から対象キャリアを含む処理信号を選択的に受信し、複数の発振信号から対象キャリアに対応する発振信号を受信し、複数の周波数分割比から周波数分割比を選択的に選択し、その周波数分割比を使用して、受信された発振信号に対して周波数分割を実施して局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成し、対象キャリアは無線周波数信号に含まれる複数のキャリアのうちの1つである。
【００５８】
複数の発振信号間の相互干渉は、周波数分割比を個別に選択して、複数の発振信号に対して周波数分割を実施することによって抑制される。
【００５９】
シングルチップ集積無線周波数受信機では、複数の周波数合成器によって生成された複数の発振信号間の相互干渉は、主に、1．引っ張り合いと、2．擬似結合およびクロストークとを含むことに留意されたい。周波数分割比を個別に選択することにより、本発明の本実施形態における無線周波数受信機は、複数の発振信号内の対象キャリアに対応する1つの発振信号の周波数が分割された後に取得された信号と、対象キャリアに対応する発振信号を除く別の発振信号に対応する対象キャリアとの間の重ね合わせを回避し、複数の発振信号内の対象キャリアに対応する1つの発振信号の周波数が分割された後に取得された信号の擬似成分と、対象キャリアに対応する発振信号を除く別の発振信号に対応する対象キャリアとの間の重ね合わせを回避する。すなわち、複数の発振信号間の引っ張り合いならびに擬似結合およびクロストークは、複数の周波数分割比を選択して、複数の発振信号に対して周波数分割を実施することによって抑制される。
【００６０】
本実施形態では、複数の周波数分割比は、複数の整数周波数分割比および複数の分数周波数分割比を含むセットから選択される。言い換えれば、複数の周波数分割比は、複数の整数周波数分割比および複数の分数周波数分割比のうちの少なくとも2つの周波数分割比を含む場合がある。分数周波数分割比および／または整数周波数分割比を含む複数の周波数分割比が提供されるので、本発明の本実施形態における無線周波数受信機が無線周波数信号を受信するとき、各受信チャネルは、受信チャネルに対応する周波数合成器間の相互干渉を抑制するために、それ自体の周波数分割比をより柔軟に選択することができる。
【００６１】
S3において、少なくとも1つの帯域信号に対してフィルタリングおよび増幅処理を個別に実施して少なくとも1つの処理信号を取得することは、具体的に、
少なくとも1つの帯域信号の中の1つの帯域信号を個別に受信し、帯域信号の帯域外の信号を除去して1つの帯域内の信号を取得し、帯域内の信号に対して利得増幅を実施して少なくとも1つの処理信号を取得すること
を含む場合がある。
【００６２】
さらに、S4において、少なくとも1つの処理信号から、対象キャリアを含む処理信号を選択的に受信することは、
少なくとも1つの処理信号からの任意の受信チャネルの対象キャリアを含む処理信号の選択的受信を実施するために、切替え制御を訓練すること
を含む場合がある。
【００６３】
S4において、複数の周波数分割比から周波数分割比を選択的に選択し、その周波数分割比を使用して、受信された発振信号に対して周波数分割を実施して局部発振器信号を取得することは、
制御信号を受信し、制御信号の制御下で、複数の周波数分割比から周波数分割比を選択的に選択し、その周波数分割比に基づいて、受信された発振信号に対して周波数分割を実施して局部発振器信号を取得すること
を含む場合がある。
【００６４】
本発明の実施形態2は、実施形態1において提供された無線周波数受信機に基づく方法実施形態であり、したがって、実施形態1および実施形態2における関連する特徴については、交互に参照が行われる場合があることに留意されたい。
【００６５】
本明細書に記載された特定の実施形態は、本発明の一般的な実施形態にすぎず、本発明を限定するものではないことを理解されたい。本発明の趣旨および原理から逸脱することなく行われる、いかなる修正、等価交換、および改善も、本発明の保護範囲内に入るべきである。
【符号の説明】
【００６６】
100  アンテナ
200  帯域分割器
300  処理回路
301  処理ユニット
301A  処理ユニット
301B  処理ユニット
301C  処理ユニット
3011  帯域通過フィルタ
3012  無線周波数増幅器
400  周波数合成器
401  周波数合成器
500  受信チャネル
501A  受信チャネル
501B  受信チャネル
501C  受信チャネル
5011  構成可能周波数分割器
50111  数ある中の1つの周波数分割器
50112  多相フィルタ
50113  第6のスイッチ
50114  第7のスイッチ
50115  第1の整数周波数分割器
50116  第2の整数周波数分割器
5012  周波数混合器
50121A  周波数分割ユニット
50121B  選択器
5012A  同相周波数混合器
5012B  直交周波数混合器
5013  低域フィルタ
5013A  同相低域フィルタ
5013B  直交低域フィルタ
5014  ベースバンド増幅器
5014A  同相ベースバンド増幅器
5014B  直交ベースバンド増幅器
600  切替えユニット
601  第1のスイッチ
602  第3のスイッチ
603  第3のスイッチ
604  第4のスイッチ
605  第5のスイッチ
700  制御信号生成器
800  ベースバンドプロセッサ
【図１】
2018170764.tif 000003
【図２】
2018170764.tif 000004
【図３】
2018170764.tif 000005
【図４】
2018170764.tif 000006
【図５】
2018170764.tif 000007
【図６Ａ】
2018170764.tif 000008
【図６Ｂ】
2018170764.tif 000009
【図７】
2018170764.tif 000010
【図８Ａ】
2018170764.tif 000011
【図８Ｂ】
2018170764.tif 000012
【図９Ａ】
2018170764.tif 000013
【図９Ｂ】
2018170764.tif 000014
【図１０】
2018170764.tif 000015
【図１１】
2018170764.tif 000016
【図１２】
2018170764.tif 000017
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
帯域分割器であって、前記帯域分割器の入力端がアンテナに結合され、前記帯域分割器が、前記アンテナから無線周波数信号を受信し、前記無線周波数信号に対して帯域分割を実施して少なくとも1つの帯域信号を取得し、前記信号を出力するように構成され、前記無線周波数信号が複数のキャリアのキャリアアグリゲートされた信号であり、各帯域信号が複数のキャリアのうちの少なくとも1つのキャリアを備える、帯域分割器と、
前記帯域分割器の出力端に結合され、前記少なくとも1つの帯域信号に対してフィルタリングおよび増幅処理を個別に実施して少なくとも1つの処理信号を取得するように構成された、処理回路と、
複数の発振信号を生成するように構成された、複数の周波数合成器と、
複数の受信チャネルであって、前記複数の受信チャネルが1対1で前記複数の周波数合成器に対応し、前記受信チャネルのうちのいずれかが、任意の受信チャネルの対象キャリアを備える、前記処理回路によって出力された前記少なくとも1つの処理信号のうちの処理信号を選択的に受信し、前記任意の受信チャネルに対応する周波数合成器によって生成された発振信号を受信し、複数の周波数分割比から前記任意の受信チャネルの周波数分割比を選択的に選択し、前記周波数分割比を使用して、前記受信された発振信号に対して周波数分割を実施して前記任意の受信チャネルの局部発振器信号を取得し、前記局部発振器信号を使用して、前記対象キャリアを備える前記受信された処理信号に対して周波数混合を実施して混合信号を取得し、前記混合信号に基づいて、前記対象キャリアに対応するベースバンド信号を生成するように構成され、前記対象キャリアが前記無線周波数信号内に備えられる前記複数のキャリアのうちの1つである、受信チャネルと
を備え、
前記複数の受信チャネルが、前記複数の周波数合成器のそれぞれの周波数分割比を個別に選択することにより、前記複数の周波数合成器間の相互干渉を抑制する、
無線周波数受信機。
【請求項２】
前記複数の周波数分割比が、複数の整数周波数分割比および複数の分数周波数分割比を備えるセットから選択される、請求項1に記載の無線周波数受信機。
【請求項３】
前記処理回路が複数の処理ユニットを備え、前記複数の処理ユニットが1対1で前記帯域分割器の出力端に対応し、前記処理ユニットのうちのいずれかが、
前記帯域分割器によって出力された前記少なくとも1つの帯域信号の中の1つの帯域信号を受信し、前記帯域信号の帯域外の信号を除去して1つの帯域内の信号を取得するように構成された、帯域通過フィルタと、
前記帯域通過フィルタに結合され、前記帯域内の前記信号を受信し、前記帯域内の前記信号に対して利得増幅を実施して処理信号を取得するように構成された、無線周波数増幅器と
を備える、請求項1または2に記載の無線周波数受信機。
【請求項４】
前記無線周波数受信機が切替えユニットをさらに備え、前記切替えユニットが、前記複数の処理ユニットと前記複数の受信チャネルとの間に結合され、前記切替えユニットが、前記任意の受信チャネルの前記対象キャリアを備える前記処理信号を受信するために、前記任意の受信チャネルが前記処理回路内の処理ユニットに選択的に結合されるように、切替え制御を訓練するように構成される、請求項3に記載の無線周波数受信機。
【請求項５】
前記複数の受信チャネルのうちの前記任意の受信チャネルが、
制御信号を受信し、前記制御信号の制御下で、前記複数の周波数分割比から前記任意の受信チャネルの前記周波数分割比を選択的に選択し、前記周波数分割比に基づいて、前記任意の受信チャネルによって受信された前記発振信号に対して周波数分割を実施して前記局部発振器信号を取得するように構成された、構成可能周波数分割器と、
前記局部発振器信号を使用して、前記受信された処理信号に対して周波数混合を実施して前記混合信号を取得するように構成された、周波数混合器と、
前記混合信号に対して雑音抑圧を実施するように構成された、低域フィルタと、
前記対象キャリアに対応する前記ベースバンド信号を生成するために、前記低域フィルタによって雑音抑圧が実施された後に取得された混合信号を増幅するように構成された、ベースバンド増幅器と
を備える、請求項1から4のいずれか一項に記載の無線周波数受信機。
【請求項６】
前記構成可能周波数分割器が、数ある中の1つの周波数分割器を備え、前記数ある中の1つの周波数分割器が複数の周波数分割モードを備え、各周波数分割モードが、整数周波数分割比または分数周波数分割比に対応し、前記数ある中の1つの周波数分割器が、前記複数の周波数分割比からの前記任意の受信チャネルの前記周波数分割比の選択的選択を実施するために、前記制御信号の制御下で、前記複数の周波数分割モードのうちの1つの周波数分割モードを現在の動作モードとして構成するように構成される、請求項5に記載の無線周波数受信機。
【請求項７】
前記構成可能周波数分割器が、複数の周波数分割ユニットと選択器とを備え、各周波数分割ユニットが、整数周波数分割比または分数周波数分割比に対応し、前記複数の周波数分割ユニットの一端が、前記構成可能周波数分割器の入力端に個別に結合され、前記複数の周波数分割ユニットの他端が、前記選択器の入力端に個別に結合され、前記選択器の出力端が前記構成可能周波数分割器の出力端に結合され、前記選択器が、前記制御信号を受信し、前記複数の周波数分割比からの前記任意の受信チャネルの前記周波数分割比の選択的選択を実施するために、前記制御信号の制御下で、前記複数の周波数分割ユニットのうちの1つの周波数分割ユニットを選択し、前記周波数分割ユニットをオンにするように構成される、請求項5に記載の無線周波数受信機。
【請求項８】
前記無線周波数受信機が、前記任意の受信チャネル内の前記構成可能周波数分割器によって必要とされる制御信号を生成するように構成された制御信号生成器をさらに備える、請求項5から7のいずれか一項に記載の無線周波数受信機。
【請求項９】
前記無線周波数受信機が、前記複数の受信チャネルによって出力されたベースバンド信号に対してベースバンド処理を実施するように構成されたベースバンドプロセッサをさらに備える、請求項1から8のいずれか一項に記載の無線周波数受信機。
【請求項１０】
前記任意の受信チャネルがゼロ中間周波数受信チャネルである、請求項1から9のいずれか一項に記載の無線周波数受信機。
【請求項１１】
前記複数の周波数合成器および前記複数の受信チャネルが集積回路に集積される、請求項1から10のいずれか一項に記載の無線周波数受信機。
【請求項１２】
無線周波数信号に対して帯域分割を実施して少なくとも1つの帯域信号を取得し、前記信号を出力するステップであって、前記無線周波数信号が複数のキャリアのキャリアアグリゲートされた信号であり、各帯域信号が前記複数のキャリアのうちの少なくとも1つのキャリアを備える、ステップと、
前記少なくとも1つの帯域信号に対してフィルタリングおよび増幅処理を個別に実施して少なくとも1つの処理信号を取得するステップと、
複数の発振信号を生成するステップと、
対象キャリアを備える、前記少なくとも1つの処理信号のうちの処理信号を選択的に受信し、前記対象キャリアに対応する、前記複数の発振信号のうちの発振信号を受信し、複数の周波数分割比から周波数分割比を選択的に選択し、前記周波数分割比を使用して、前記受信された発振信号に対して周波数分割を実施して局部発振器信号を取得し、前記局部発振器信号を使用して、前記対象キャリアを備える前記受信された処理信号に対して周波数混合を実施して混合信号を取得し、前記混合信号に基づいて、前記対象キャリアに対応するベースバンド信号を生成するステップであって、前記対象キャリアが前記無線周波数信号内に備えられる前記複数のキャリアのうちの1つである、ステップと
を備え、
前記複数の発振信号間の相互干渉が、周波数分割比を個別に選択して、前記複数の発振信号に対して周波数分割を実施することによって抑制される、
受信方法。
【請求項１３】
前記複数の周波数分割比が、複数の整数周波数分割比および複数の分数周波数分割比を備えるセットから選択される、請求項12に記載の方法。
【請求項１４】
前記少なくとも1つの帯域信号に対してフィルタリングおよび増幅処理を個別に実施して少なくとも1つの処理信号を取得する前記ステップが、
前記少なくとも1つの帯域信号の中の1つの帯域信号を受信し、前記帯域信号の帯域外の信号を除去して1つの帯域内の信号を取得し、前記帯域内の前記信号に対して利得増幅を実施して前記少なくとも1つの処理信号を取得するステップ
を備える、請求項12または13に記載の方法。
【請求項１５】
対象キャリアを備える、前記少なくとも1つの処理信号のうちの処理信号を選択的に受信する前記ステップが、
前記対象キャリアを備える、前記少なくとも1つの処理信号のうちの前記処理信号の選択的受信を実施するために、切替え制御を訓練するステップ
を備える、請求項14に記載の方法。
【請求項１６】
複数の周波数分割比から周波数分割比を選択的に選択し、前記周波数分割比を使用して、前記受信された発振信号に対して周波数分割を実施して局部発振器信号を取得する前記ステップが、
制御信号を受信し、前記制御信号の制御下で、前記複数の周波数分割比から前記周波数分割比を選択的に選択し、前記周波数分割比に基づいて、前記受信された発振信号に対して周波数分割を実施して前記局部発振器信号を取得するステップ
を備える、請求項12から15のいずれか一項に記載の方法。
【手続補正２】
【補正対象書類名】明細書
【補正対象項目名】０００５
【補正方法】変更
【補正の内容】
【０００５】
Intra−band continuous CA適用シナリオの場合、無線周波数受信機ソリューションは、まだ、従来の方法にあるような単一の周波数合成器を使用することによって実装することができ、2つの複雑な適用シナリオであるintra−band non−continuous CAおよびinter−band non−continuous CAの場合、複数の周波数合成器を使用することは、無線周波数受信機ソリューションのためのオプションにすぎない。しかしながら、電圧制御発振器（voltage controlled oscillator、VCO）間の引っ張り合い（VCO Pulling）とVCOの擬似（Spur）結合およびクロストークとを含めて、複数の周波数合成器の間には相互干渉が存在し、これは、複数の周波数合成器のシングルチップ集積を妨げる重大な問題である。1．VCO間の引っ張り合いは、複数のVCOが同時に動作するときの通常の相互干渉現象であることに留意されたい。一例として2つのVCOが同時に動作するシナリオを使用すると、VCO1の発振エネルギーがVCO2に結合され、その結果、VCO2の出力信号は、VCO1の発振周波数の周波数成分を含み、それにより、局部発振器信号の受信チャネルとしてVCO2が使用されるときの受信品質が影響を受ける。2．VCOの擬似結合およびクロストークは、VCOによって実際に出力された周波数成分に必然的に含まれる、必要な周波数成分を除く、様々な擬似成分（不要な周波数成分）を指す。擬似成分は、多くの理由で生成される場合があり、基準クロックによって引き起こされる場合があるか、または周波数合成器の非線形性によって引き起こされる場合がある。複数の周波数合成器および複数の受信チャネルを有する適用シナリオでは、VCOのうちの1つによって出力された擬似成分が別の受信チャネルに結合され、受信チャネルによって受信される必要がある有用な信号のスペクトル上に重ね合わされ、すなわち、受信チャネルの受信帯域内に入った場合、そのチャネルの受信性能は影響を受ける。
【手続補正３】
【補正対象書類名】明細書
【補正対象項目名】０００８
【補正方法】変更
【補正の内容】
【０００８】
第1の態様によれば、本発明の一実施形態は、
帯域分割器であって、帯域分割器の入力端がアンテナに結合され、帯域分割器が、アンテナから無線周波数信号を受信し、無線周波数信号に対して帯域分割を実施して少なくとも1つの帯域信号を取得し、その信号を出力するように構成され、無線周波数信号が複数のキャリアのキャリアアグリゲートされた信号であり、各帯域信号が複数のキャリアのうちの少なくとも1つのキャリアを含む、帯域分割器と、
帯域分割器の出力端に結合され、少なくとも1つの帯域信号に対してフィルタリングおよび増幅処理を個別に実施して少なくとも1つの処理信号を取得するように構成された、処理回路と、
複数の発振信号を生成するように構成された、複数の周波数合成器と、
複数の受信チャネルであって、複数の受信チャネルが1対1で複数の周波数合成器に対応し、受信チャネルのうちのいずれかが、任意の受信チャネルの対象キャリアを含む、処理回路によって出力された少なくとも1つの処理信号のうちの処理信号を選択的に受信し、任意の受信チャネルに対応する周波数合成器によって生成された発振信号を受信し、複数の周波数分割比から任意の受信チャネルの周波数分割比を選択的に選択し、その周波数分割比を使用して、受信された発振信号に対して周波数分割を実施して任意の受信チャネルの局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成するように構成され、対象キャリアが無線周波数信号に含まれる複数のキャリアのうちの1つである、受信チャネルと
を含む、無線周波数受信機を提供し、
前記複数の受信チャネルが、前記複数の周波数合成器のそれぞれの周波数分割比を個別に選択することにより、前記複数の周波数合成器間の相互干渉を抑制する。
【手続補正４】
【補正対象書類名】明細書
【補正対象項目名】００１２
【補正方法】変更
【補正の内容】
【００１２】
第1の態様または第1の態様のいずれかの可能な実装方式を参照して、第4の可能な実装方式では、複数の受信チャネルのうちの任意の受信チャネルは、
制御信号を受信し、制御信号の制御下で、複数の周波数分割比から任意の受信チャネルの周波数分割比を選択的に選択し、その周波数分割比に基づいて、任意の受信チャネルによって受信された発振信号に対して周波数分割を実施して局部発振器信号を取得するように構成された、構成可能周波数分割器と、
局部発振器信号を使用して、受信された処理信号に対して周波数混合を実施して混合信号を取得するように構成された、周波数混合器と、
混合信号に対して雑音抑圧を実施するように構成された、低域フィルタと、
対象キャリアに対応するベースバンド信号を生成するために、低域フィルタによって雑音抑圧が実施された後に取得された混合信号を増幅するように構成された、ベースバンド増幅器と
を含む。
【手続補正５】
【補正対象書類名】明細書
【補正対象項目名】００１９
【補正方法】変更
【補正の内容】
【００１９】
第2の態様によれば、本発明の一実施形態は、
無線周波数信号に対して帯域分割を実施して少なくとも1つの帯域信号を取得し、その信号を出力することであって、無線周波数信号が複数のキャリアのキャリアアグリゲートされた信号であり、各帯域信号が複数のキャリアのうちの少なくとも1つのキャリアを含む、出力することと、
前記少なくとも1つの帯域信号に対してフィルタリングおよび増幅処理を個別に実施して少なくとも1つの処理信号を取得することと、
複数の発振信号を生成することと、
対象キャリアを含む、少なくとも1つの処理信号のうちの処理信号を選択的に受信し、対象キャリアに対応する、複数の発振信号のうちの発振信号を受信し、複数の周波数分割比から周波数分割比を選択的に選択し、その周波数分割比を使用して、受信された発振信号に対して周波数分割を実施して局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成することであって、対象キャリアが無線周波数信号に含まれる複数のキャリアのうちの1つである、生成することと
を含む、受信方法を提供し、
前記複数の発振信号間の相互干渉が、周波数分割比を個別に選択して、前記複数の発振信号に対して周波数分割を実施することによって抑制される。
【手続補正６】
【補正対象書類名】明細書
【補正対象項目名】００２１
【補正方法】変更
【補正の内容】
【００２１】
第2の態様または第2の態様の第1の可能な実装方式を参照して、第2の可能な実装方式では、少なくとも1つの帯域信号に対してフィルタリングおよび増幅処理を個別に実施して少なくとも1つの処理信号を取得することは、
少なくとも1つの帯域信号の中の1つの帯域信号を受信し、帯域信号の帯域外の信号を除去して1つの帯域内の信号を取得し、帯域内の信号に対して利得増幅を実施して少なくとも1つの処理信号を取得すること
を含む。
【手続補正７】
【補正対象書類名】明細書
【補正対象項目名】００２２
【補正方法】変更
【補正の内容】
【００２２】
第2の態様の第2の可能な実装方式を参照して、第3の可能な実装方式では、対象キャリアを含む、少なくとも1つの処理信号のうちの処理信号を選択的に受信することは、
少なくとも1つの処理信号からの対象キャリアを含む処理信号の選択的受信を実施するために、切替え制御を訓練すること
を含む。
【手続補正８】
【補正対象書類名】明細書
【補正対象項目名】００２３
【補正方法】変更
【補正の内容】
【００２３】
第3の態様または第1から第3の可能な実装方式のうちのいずれかの可能な実装方式を参照して、第4の可能な実装方式では、複数の周波数分割比から周波数分割比を選択的に選択し、その周波数分割比を使用して、受信された発振信号に対して周波数分割を実施して局部発振器信号を取得することは、
制御信号を受信し、制御信号の制御下で、複数の周波数分割比から周波数分割比を選択的に選択し、その周波数分割比に基づいて、受信された発振信号に対して周波数分割を実施して局部発振器信号を取得すること
を含む。
本発明では、各受信チャネルの周波数分割比を選択的に選択することにより、受信チャネルに対応する複数の周波数合成器間の相互干渉は効果的に抑制することができ、その結果、本発明において提供される無線周波数受信機は、シングルチップ集積を実装することができる。
【手続補正９】
【補正対象書類名】明細書
【補正対象項目名】００３４
【補正方法】変更
【補正の内容】
【００３４】
複数の受信チャネル500は、1対1で複数の周波数合成器400に対応し、受信チャネルのうちのいずれかは、任意の受信チャネルの対象キャリアを含む、処理回路300によって出力された少なくとも1つの処理信号のうちの処理信号を選択的に受信し、任意の受信チャネルに対応する周波数合成器によって生成された、複数の周波数合成器400によって生成された複数の発振信号のうちの発振信号を受信し、複数の周波数分割比から任意の受信チャネルの周波数分割比を選択的に選択し、その周波数分割比を使用して、受信された発振信号に対して周波数分割を実施して任意の受信チャネルの局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成するように構成され、対象キャリアは無線周波数信号に含まれる複数のキャリアのうちの1つであり、
複数の受信チャネル500は、複数の周波数合成器400のそれぞれの周波数分割比を個別に選択することにより、複数の周波数合成器400間の相互干渉を抑制する。
【手続補正１０】
【補正対象書類名】明細書
【補正対象項目名】００３６
【補正方法】変更
【補正の内容】
【００３６】
したがって、複数の周波数分割器間の相互干渉は、本実施形態における技術的解決策を使用することによって効果的に抑制されることが分かる。本発明の技術的効果をより良く記載するために、以下で、例を使用して、図8Aおよび図9Aを参照して説明を与える。図8Aに示されたように、Band 8内のキャリアAおよびBand 3内のキャリアBは、帯域間方式でアグリゲートされており、キャリアAのキャリア周波数はFA=1870．1MHzであり、キャリアBのキャリア周波数はFB=935MHzであり、2つの受信チャネル501Aおよび501Bのそれぞれの局部発振器信号の周波数は、それぞれ、LOA=1870．1MHzおよびLOB=935MHzである。従来のソリューションでは、図8Bに示されたように、2つの局部発振器信号を取得するために、整数周波数分割が一般に使用される。たとえば、LOAを取得するために発振信号（発振周波数FvcoA=3740．2MHz）に対して2による周波数分割が実施され、LOBを取得するために発振信号（発振周波数FvcoB=3740MHz）に対して4による周波数分割が実施される。FvcoAとFvcoBは近い周波数なので、2つの対応する周波数合成器間の分離が限定される場合、引っ張り合いが発生し、受信機の性能は大幅に影響を受ける。したがって、本発明の本実施形態では、受信チャネル501Aの周波数分割比は2に設定され、受信チャネル501Bの周波数分割比は3．5に設定され、その結果、受信チャネル501Aは、LOAを取得するために発振信号（発振周波数FvcoA=3740．2MHz）に対して2による周波数分割を実施することができ、受信チャネル501Bは、LOBを取得するために発振信号（発振周波数FvcoB=3272．5MHz）に対して3．5による周波数分割を実施することができ、その結果、FvcoAはFvcoBから離れる。周波数合成器間の引っ張り合いは、発振信号の発振周波数間の差周波数および周波数合成器間の分離に依存する。差周波数が増大するにつれて、分離は良くなり、引っ張り合い効果は弱くなる。したがって、複数の受信チャネル500に対応する複数の周波数合成器400間の引っ張り合い効果は、基本的に、複数の受信チャネル500のそれぞれの周波数分割比を柔軟に選択することによって消滅する。図9Aに示されたように、受信された無線周波数信号がBand 25内のキャリアAおよびキャリアB上の不連続CAによって取得されるとき、キャリアAのキャリア周波数はFA=1966．2MHzであり、キャリアBのキャリア周波数はFB=1969．2MHzであり、したがって、2つの受信チャネル501Aおよび501Bのそれぞれの局部発振器周波数は、それぞれ、LOA=1966．2MHzおよびLOB=1969．2MHzである。従来のソリューションでは、図9Bに示されたように、2つの局部発振器信号を取得するために、整数周波数分割が一般に使用される。たとえば、LOAを取得するために発振信号（発振周波数FvcoA=3932．4MHz）に対して2による周波数分割が実施され、LOBを取得するために発振信号（発振周波数FvcoB=3938．4MHz）に対して2による周波数分割が実施される。LOBに対応する周波数合成器が19．2MHzの基準クロックを使用すると仮定すると、その周波数がFspus=1966．8MHzである擬似成分（境界スパーとしても知られる）がLOB内に存在する場合がある。出力用のFspus−LOA=0．6MHzの低周波数成分を取得するために、擬似成分が受信チャネル501Aに結合され、LOAと混合される場合、キャリアA用に構成された周波数が3MHzであると仮定すると、0．6MHzの低周波数成分は受信チャネル501Aによって受信されるべき��号の周波数と重なり、それはキャリアAの受信性能に大いに影響を及ぼす。本実施形態では、受信チャネル501Aの周波数分割比を2に設定し、受信チャネル501Bの周波数分割比を2．5に設定することにより、受信チャネル501Aは、LOAを取得するために発振信号（発振周波数FvcoA=3932．4MHz）に対して2による周波数分割を実施することができ、受信チャネル501Bは、LOBを取得するために発振信号（発振周波数FvcoB=4923MHz）に対して2．5による周波数分割を実施することができる。このようにして、FvcoAはFvcoBから離れ、その結果、受信チャネル501Aの受信性能に影響を与える可能性がある擬似成分は、受信チャネル501Bによる周波数分割後に取得されたLOB内にもはや存在しない。したがって、複数の受信チャネル500に対応する複数の周波数合成器400間の擬似結合およびクロストークは、複数の受信チャネル500のそれぞれの周波数分割比を柔軟に選択することによって抑制することができる。
【手続補正１１】
【補正対象書類名】明細書
【補正対象項目名】００３７
【補正方法】変更
【補正の内容】
【００３７】
本実施形態では、任意の受信チャネルの周波数分割比がそれらから選択される複数の周波数分割比は、複数の整数周波数分割比および複数の分数周波数分割比を含むセットから選択することができる。言い換えれば、複数の周波数分割比は、複数の整数周波数分割比および複数の分数周波数分割比のうちの少なくとも2つの周波数分割比を含む場合がある。すなわち、複数の周波数分割比は、複数の整数周波数分割比のセットであり得るか、または複数の分数周波数分割比のセットであり得るか、または分数周波数分割比と整数周波数分割比のセットであり得る。本実施形態では、分数周波数分割比および／または整数周波数分割比を含む複数の周波数分割比が提供されるので、各受信チャネルが受信チャネルに対応する周波数合成器間の相互干渉を抑制するように、それ自体の周波数分割比を選択することは非常に柔軟である。
【手続補正１２】
【補正対象書類名】明細書
【補正対象項目名】００３８
【補正方法】変更
【補正の内容】
【００３８】
以下で、図4に示された特定の無線周波数受信機アーキテクチャを参照して、本発明の実施形態における技術的解決策をさらに記載する。簡潔にするために、図4は、2つの受信チャネルおよび2つの周波数合成器を含む受信機のアーキテクチャを例示的に示すにすぎないことに留意されたい。実際の適用例では、受信チャネルは図4に基づいて拡張される場合がある。したがって、図4の中の内容は、本発明の保護範囲を限定するものと解釈されるべきではない。図4に示されたように、処理回路300は、複数の処理ユニット301を含む場合がある。複数の処理ユニット301の個数は、帯域分割器200の出力端の個数に等しい場合がある。複数の処理ユニット301は、帯域分割器200の出力端に個別に結合される。各処理ユニット301は、帯域分割器200によって出力された少なくとも1つの帯域信号内の1つの帯域信号に対してフィルタリングおよび増幅処理を実施して、1つの処理信号を取得するように構成される。例として図8Aに示された受信機をまだ使用すると、キャリアアグリゲートされた信号がBand 8内のキャリアAおよびBand 3内のキャリアB の帯域間アグリゲーションであるとき、帯域分割器200はDiplexerであり得る。それに対応して、Diplexerは、2つの出力端である第1の出力端および第2の出力端を有する。第1の出力端は高帯域の帯域信号、すなわち、キャリアBが位置する帯域信号（Band 3）を出力するように構成される。第2の出力端は低帯域の帯域信号、すなわち、キャリアAが位置する帯域信号（Band 8）を出力するように構成される。それに対応して、プロセッサ300も2つの処理ユニットを含む。処理ユニットのうちの1つは、第1の出力端に結合され、高帯域（Band 3）の信号に対してフィルタリングおよび増幅処理を実施するように構成され、他の処理ユニットは、第2の出力端に結合され、低帯域（Band 8）の信号に対してフィルタリングおよび増幅処理を実施するように構成される。特殊な状況では、すなわち、無線周波数信号が第1のキャリアおよび第2のキャリアのみを含み、第1のキャリアおよび第2のキャリアが帯域内連続アグリゲートされたキャリアまたは帯域内不連続アグリゲートされたキャリアであるとき、帯域分割器200はただ1つの帯域信号を出力するので、帯域分割器200がDiplexerであると仮定すると、帯域信号は第1の出力端または第2の出力端によって出力される場合があることに留意されたい。第1の出力端が帯域信号を出力する場合、複数の処理ユニット内で、Diplexerの第1の出力端に結合された処理ユニットだけが帯域信号を処理して、第1のキャリアおよび第2のキャリアを含む処理信号を取得する。
【手続補正１３】
【補正対象書類名】明細書
【補正対象項目名】００４０
【補正方法】変更
【補正の内容】
【００４０】
本実施形態では、図4に示されたように、無線周波数受信機は、切替えユニット600をさらに含む場合がある。切替えユニット600は、複数の処理ユニット301と複数の受信チャネル500との間に結合される。切替えユニット600は切替え制御を訓練するように構成され、その結果、任意の受信チャネルは、任意の受信チャネルの対象キャリアを含む処理信号を受信するために、処理回路300内の処理ユニットに選択的に結合される。具体的には図5を参照されたい。図5に示された無線周波数受信機では、複数の受信チャネル500は、（説明しやすいように、それぞれ501Aおよび501Bによって表記される）2つの受信チャネルを含み、処理回路300は、（説明しやすいように、それぞれ301Aおよび301Bによって表記される）2つの処理ユニットを含み、したがって、切替えユニット600は、具体的に、第1のスイッチ601と、第2のスイッチ602と、第3のスイッチ603とを含む場合がある。第1のスイッチ601の一端は処理ユニット301Aの出力端に結合され、第1のスイッチ601の他端は、受信チャネル501Aの無線周波数入力端、および第2のスイッチ602の一端に個別に結合される。第3のスイッチ603の一端は処理ユニット301Bの出力端に結合され、第3のスイッチ603の他端は、受信チャネル501Bの無線周波数入力端、および第2のスイッチ602の他端に結合される。3つのスイッチのオンオフを制御することにより、切替えユニット600は、様々なタイプのCA信号の受信を実施することができる。たとえば、無線周波数信号がBand 3内のキャリアBおよびBand 8内のキャリアA上の帯域間CAによって取得されるとき、図8Aを参照すると、切替えユニットは、第1のスイッチ601および第3のスイッチ603が同時にオンになるように制御し、第2のスイッチ602がオフになるように制御することができ、その結果、帯域信号Band 3は、301A−＞601−＞501Aのリンクに沿って受信チャネル501Aに送信され、帯域信号Band 8は、301B−＞603−＞501Bのリンクに沿って受信チャネル501Bに送信される。受信チャネル501Aの対象キャリアはキャリアBであり、受信チャネル501Bの対象キャリアはキャリアAである。無線周波数信号が帯域信号Band 25内の2つのキャリアAおよびB上の不連続CAによって取得されるとき、図9Aを参照すると、帯域分割器200は1つの帯域内の複数のキャリアを分割することができないので、帯域分割器200は、ただ1つの出力端を選択して帯域信号を出力することができる。処理ユニット301Aが帯域分割器200によって出力されたBand 25に対してフィルタリングおよび増幅処理を実施すると仮定すると、切替えユニットは、第1のスイッチ601および第2のスイッチ602が同時にオンになるように制御し、第3のスイッチ603がオフになるように制御し、その結果、帯域信号Band 25は、301A−＞601−＞501Aのリンクに沿って受信チャネル501Aに送信され、同時に、301A−＞601−＞602−＞501Bのリンクに沿って受信チャネル501Bに送信される。受信チャネル501Aの対象キャリアはキャリアAであり、受信チャネル501Bの対象キャリアはキャリアBである。簡潔にするために、図8A、図8B、図9A、および図9Bにおいて、構成要素の参照番号が省略されていることに留意されたい。詳細には、図5における参照番号に対して参照を行うことができる。
【手続補正１４】
【補正対象書類名】明細書
【補正対象項目名】００４１
【補正方法】変更
【補正の内容】
【００４１】
さらに、図5に基づいて、図7を参照すると、無線周波数受信機が3つの処理ユニット（301A、301B、301C）と3つの受信チャネル（501A、501B、501C）とを含むとき、切替えユニット600は、第4のスイッチ604と第5のスイッチ605とをさらに含む場合がある。5つのスイッチのオンオフを制御することにより、より多くのタイプのCA信号を受信することができる。たとえば、無線周波数信号が、3つのキャリアであるBand 3内のキャリアA、Band 4内のキャリアB、およびBand 5内のキャリアC上の帯域間CAによって取得されるとき、図10を参照すると、切替えユニットは、第1のスイッチ601、第3のスイッチ603、および第5のスイッチ605が同時にオンになるように制御し、第2のスイッチ602および第4のスイッチ604がオフになるように制御し、その結果、Band 5は、301A−＞601−＞501Aに沿って受信チャネル501Aに送信され、Band 4は、301B−＞603−＞501Bに沿って受信チャネル501Bに送信され、Band 3は、301C−＞605−＞501Cに沿って受信チャネル501Cに送信される。受信チャネル501Aの対象キャリアはキャリアCであり、受信チャネル501Bの対象キャリアはキャリアBであり、受信チャネル501Cの対象キャリアはキャリアAである。無線周波数信号が、Band 3内のキャリアAおよびB上の不連続CAによって取得され、次いで、帯域間CA方式でBand 5内のキャリアCとアグリゲートされるとき、図11を参照すると、処理ユニット301BがキャリアAおよびBを含むBand 3を処理すると仮定して、切替えユニット600は、第1のスイッチ601、第3のスイッチ603、および第4のスイッチ604が同時にオンになるように制御し、第2のスイッチ602および第5のスイッチ605がオフになるように制御することができ、その結果、Band 5は、301A−＞601−＞501Aに沿って受信チャネル501Aに送信され得るし、Band 3は、301B−＞603−＞501Bに沿って受信チャネル501Bに送信され、301B−＞603−＞604−＞501Cに沿って受信チャネル501Cに送信され得る。受信チャネル501Aの対象キャリアはキャリアCであり、受信チャネル501B
の対象キャリアはキャリアBであり、受信チャネル501Cの対象キャリアはキャリアAである。簡潔にするために、図10および図11において、構成要素の参照番号が省略されていることに留意されたい。詳細には、図7における参照番号に対して参照を行うことができる。
【手続補正１５】
【補正対象書類名】明細書
【補正対象項目名】００５７
【補正方法】変更
【補正の内容】
【００５７】
S5．対象キャリアを含む、少なくとも1つの処理信号のうちの処理信号を選択的に受信し、対象キャリアに対応する、複数の発振信号のうちの発振信号を受信し、複数の周波数分割比から周波数分割比を選択的に選択し、その周波数分割比を使用して、受信された発振信号に対して周波数分割を実施して局部発振器信号を取得し、その局部発振器信号を使用して、対象キャリアを含む受信された処理信号に対して周波数混合を実施して混合信号を取得し、その混合信号に基づいて、対象キャリアに対応するベースバンド信号を生成し、対象キャリアは無線周波数信号に含まれる複数のキャリアのうちの1つである。
【手続補正１６】
【補正対象書類名】明細書
【補正対象項目名】００６１
【補正方法】変更
【補正の内容】
【００６１】
S3において、少なくとも1つの帯域信号に対してフィルタリングおよび増幅処理を個別に実施して少なくとも1つの処理信号を取得することは、具体的に、
少なくとも1つの帯域信号の中の1つの帯域信号を受信し、帯域信号の帯域外の信号を除去して1つの帯域内の信号を取得し、帯域内の信号に対して利得増幅を実施して少なくとも1つの処理信号を取得すること
を含む場合がある。
【手続補正１７】
【補正対象書類名】明細書
【補正対象項目名】００６２
【補正方法】変更
【補正の内容】
【００６２】
さらに、S5において、対象キャリアを含む、少なくとも1つの処理信号のうちの処理信号を選択的に受信することは、
少なくとも1つの処理信号からの任意の受信チャネルの対象キャリアを含む処理信号の選択的受信を実施するために、切替え制御を訓練すること
を含む場合がある。
【手続補正１８】
【補正対象書類名】明細書
【補正対象項目名】００６３
【補正方法】変更
【補正の内容】
【００６３】
S5において、複数の周波数分割比から周波数分割比を選択的に選択し、その周波数分割比を使用して、受信された発振信号に対して周波数分割を実施して局部発振器信号を取得することは、
制御信号を受信し、制御信号の制御下で、複数の周波数分割比から周波数分割比を選択的に選択し、その周波数分割比に基づいて、受信された発振信号に対して周波数分割を実施して局部発振器信号を取得すること
を含む場合がある。
【手続補正１９】
【補正対象書類名】明細書
【補正対象項目名】００６５
【補正方法】変更
【補正の内容】
【００６５】
本明細書に記載された特定の実施形態は、本発明の一般的な実施形態にすぎず、本発明を限定するものではないことを理解されたい。本発明の原理から逸脱することなく行われる、いかなる修正、等価交換、および改善も、本発明の保護範囲内に入るべきである。
【手続補正２０】
【補正対象書類名】図面
【補正対象項目名】図１２
【補正方法】変更
【補正の内容】
【図１２】
2018170764.tif 000018
【外国語明細書】
2018170764000001.pdf